(57)【要約】【課題】杭孔と揚水井の孔とを併用することで工期短縮が可能であり、揚水井内の杭で構造物を支持しつつ地下水を排水することができる杭一体型の揚水井および地下水の揚水方法を提供すること。【解決手段】地盤１にケーシング管７を設置する。次に、ケーシング管７の内部に、Ｈ型鋼杭５ａと、Ｈ型鋼杭５ａのフランジ同士の間に配置されたポンプ１７と、フランジ同士の間に配置されてポンプ１７に接続された揚水配管２１と、Ｈ型鋼杭５ａの外周を囲むように配置された網２９とを一体として建て込む。そして、Ｈ型鋼杭５ａの根固めコンクリート３５を打設し、網２９の内側に導水材３７を充填し、ケーシング管７を地盤１から撤去して、揚水井４１を完成する。その後、Ｈ型鋼杭５ａで構造物を支持しつつ、ポンプ１７を作動させて揚水配管２１から地盤１の地下水を排水する。【選択図】図５
2020193527.tif 000002
【特許請求の範囲】
【請求項１】
地盤に掘削された孔に建て込まれ、根固めされたＨ型鋼杭と、
前記Ｈ型鋼杭のフランジ同士の間に配置されたポンプと、
前記フランジ同士の間に配置され、前記ポンプに接続された揚水配管と、
前記Ｈ型鋼杭の外周を囲むように配置された網状材と、
前記網状材の内側に充填された導水材と、
を具備することを特徴とする杭一体型の揚水井。
【請求項２】
前記フランジおよびウェブに直交するプレートが前記ポンプの上方において前記Ｈ型鋼杭に固定され、前記プレートに設けられた切欠き部に前記揚水配管が配置され、前記プレートの上方に前記導水材が充填されたことを特徴とする請求項１記載の杭一体型の揚水井。
【請求項３】
前記フランジ同士の間に、下端部が前記ポンプ近傍に達する送気配管が配置されたことを特徴とする請求項１または請求項２記載の杭一体型の揚水井。
【請求項４】
地盤にケーシング管を設置する工程ａと、
前記ケーシング管の内部に、Ｈ型鋼杭と、前記Ｈ型鋼杭のフランジ同士の間に配置されたポンプと、前記フランジ同士の間に配置されて前記ポンプに接続された揚水配管と、前記Ｈ型鋼杭の外周を囲むように配置された網状材とを一体として建て込む工程ｂと、
前記Ｈ型鋼杭の根固めコンクリートを打設し、前記網状材の内側に導水材を充填する工程ｃと、
前記ケーシング管を前記地盤から撤去する工程ｄと、
前記Ｈ型鋼杭で構造物を支持しつつ、前記ポンプを作動させて前記揚水配管から前記地盤の地下水を排水する工程ｅと、
を具備することを特徴とする地下水の揚水方法。
【請求項５】
地盤にケーシング管を設置する工程ａと、
前記ケーシング管の内部に、Ｈ型鋼杭と、前記Ｈ型鋼杭のフランジ同士の間に配置されたポンプと、前記フランジ同士の間に配置されて前記ポンプに接続された揚水配管と、前記Ｈ型鋼杭の外周を囲むように配置された網状材と、前記網状材の内側に充填された導水材とを一体として建て込む工程ｂと、
前記Ｈ型鋼杭の根固めコンクリートを打設する工程ｃと、
前記ケーシング管を前記地盤から撤去する工程ｄと、
前記Ｈ型鋼杭で構造物を支持しつつ、前記ポンプを作動させて前記揚水配管から前記地盤の地下水を排水する工程ｅと、
を具備することを特徴とする地下水の揚水方法。
【請求項６】
前記工程ａで、地盤に構築された土留め壁の内側に前記ケーシング管を設置し、
前記工程ｅで、前記土留め壁の内側の地盤を地下水を排水しながら掘削することを特徴とする請求項４または請求項５記載の地下水の揚水方法。
【請求項７】
前記工程ｂで、前記フランジ同士の間に配置された送気配管を前記Ｈ型鋼杭と一体として建て込み、
前記工程ｃ以降に、前記送気配管を用いて前記ポンプ近傍に気体を供給することを特徴とする請求項４から請求項６のいずれかに記載の地下水の揚水方法。
【発明の詳細な説明】
【技術分野】
【０００１】
本発明は、杭一体型の揚水井および地下水の揚水方法に関するものである。
【背景技術】
【０００２】
従来、土留め壁の内側の地盤に透水層が存在する場合、杭を施工して杭孔にドレーン材を充填した後、透水層に達するように揚水井戸を設置し、揚水井戸を稼働させてドレーン材を充填した杭孔および透水層を通して土留め壁の内側の地下水を排水する方法があった（例えば、特許文献１参照）。
【先行技術文献】
【特許文献】
【０００３】
【特許文献１】特許第６２７７７５５号公報
【発明の概要】
【発明が解決しようとする課題】
【０００４】
しかしながら、特許文献１記載の方法では、土留め壁の内側に杭を施工した後に独立した揚水井戸を設置するため、工期が長くなっていた。
【０００５】
本発明は、前述した問題点に鑑みてなされたものであり、その目的とすることは、杭孔と揚水井の孔とを併用することで工期短縮が可能であり、揚水井内の杭で構造物を支持しつつ地下水を排水することができる杭一体型の揚水井および地下水の揚水方法を提供することである。
【課題を解決するための手段】
【０００６】
前述した目的を達成するために第１の発明は、地盤に掘削された孔に建て込まれ、根固めされたＨ型鋼杭と、前記Ｈ型鋼杭のフランジ同士の間に配置されたポンプと、前記フランジ同士の間に配置され、前記ポンプに接続された揚水配管と、前記Ｈ型鋼杭の外周を囲むように配置された網状材と、前記網状材の内側に充填された導水材と、を具備することを特徴とする杭一体型の揚水井である。
【０００７】
第１の発明では、Ｈ型鋼杭を設置するための杭孔を揚水井の孔として用いるので工期短縮が可能である。また、スクリーンとしてＨ型鋼杭の外周を囲むように配置された網状材を用いることにより、スクリーン管を用いる場合と比較してＨ型鋼杭やケーシング管のサイズを小さくすることが可能になる。さらに、配置した網状材の内側に導水材を充填することにより、網状材の内側への土砂等の流入を防ぎ、地下水を網状材の内側に集水することができる。
【０００８】
前記フランジおよびウェブに直交するプレートが前記ポンプの上方において前記Ｈ型鋼杭に固定され、前記プレートに設けられた切欠き部に前記揚水配管が配置され、前記プレートの上方に前記導水材が充填されたことが望ましい。
ポンプの上方にプレートを固定すれば、導水材との接触によるポンプの不具合を防ぐことができる。
【０００９】
前記フランジ同士の間に、下端部が前記ポンプ近傍に達する送気配管が配置されたことが望ましい。
これにより、送気配管を用いてポンプ近傍に気体を供給することができる。
【００１０】
第２の発明は、地盤にケーシング管を設置する工程ａと、前記ケーシング管の内部に、Ｈ型鋼杭と、前記Ｈ型鋼杭のフランジ同士の間に配置されたポンプと、前記フランジ同士の間に配置されて前記ポンプに接続された揚水配管と、前記Ｈ型鋼杭の外周を囲むように配置された網状材とを一体として建て込む工程ｂと、前記Ｈ型鋼杭の根固めコンクリートを打設し、前記網状材の内側に導水材を充填する工程ｃと、前記ケーシング管を前記地盤から撤去する工程ｄと、前記Ｈ型鋼杭で構造物を支持しつつ、前記ポンプを作動させて前記揚水配管から前記地盤の地下水を排水する工程ｅと、を具備することを特徴とする地下水の揚水方法である。
【００１１】
第２の発明では、Ｈ型鋼杭を設置するための杭孔を用いて杭一体型の揚水井を施工することにより、工期短縮が可能である。また、網状材で外周を囲まれたＨ型鋼杭をケーシング管内に建て込んだ後に網状材の内側に導水材を充填することにより、導水材を容易に設置することができる。
【００１２】
第３の発明は、地盤にケーシング管を設置する工程ａと、前記ケーシング管の内部に、Ｈ型鋼杭と、前記Ｈ型鋼杭のフランジ同士の間に配置されたポンプと、前記フランジ同士の間に配置されて前記ポンプに接続された揚水配管と、前記Ｈ型鋼杭の外周を囲むように配置された網状材と、前記網状材の内側に充填された導水材とを一体として建て込む工程ｂと、前記Ｈ型鋼杭の根固めコンクリートを打設する工程ｃと、前記ケーシング管を前記地盤から撤去する工程ｄと、前記Ｈ型鋼杭で構造物を支持しつつ、前記ポンプを作動させて前記揚水配管から前記地盤の地下水を排水する工程ｅと、を具備することを特徴とする地下水の揚水方法である。
【００１３】
第３の発明では、Ｈ型鋼杭を設置するための杭孔を用いて杭一体型の揚水井を施工することにより、工期短縮が可能である。また、Ｈ型鋼杭に導水材をあらかじめ一体化しておくことにより、導水材をＨ型鋼杭と同時にケーシング管内に建て込むことができる。
【００１４】
第２、第３の発明では、前記工程ａで、地盤に構築された土留め壁の内側に前記ケーシング管を設置し、前記工程ｅで、前記土留め壁の内側の地盤を地下水を排水しながら掘削してもよい。
これにより、土留め壁の内側の地盤の地下水位を確実に低下させ、地盤の掘削後にポンプを容易に回収することができる。
【００１５】
また、前記工程ｂで、前記フランジ同士の間に配置された送気配管を前記Ｈ型鋼杭と一体として建て込み、前記工程ｃ以降に、前記送気配管を用いて前記ポンプ近傍に気体を供給してもよい。
気体を供給すれば、Ｈ型鋼の根固めコンクリートのブリージング水が撹拌されてセメントノロによるポンプの詰まりが防止される。また、孔壁から崩れ落ちた細粒分の多い土砂が気体とともに井戸内を上昇してポンプや揚水配管の詰まりが防止される。
【発明の効果】
【００１６】
本発明によれば、杭孔と揚水井の孔とを併用することで工期短縮が可能であり、揚水井内の杭で構造物を支持しつつ地下水を排水することができる杭一体型の揚水井および地下水の揚水方法を提供できる。
【図面の簡単な説明】
【００１７】
【図１】地盤１にケーシング管７を設置する工程を示す図
【図２】Ｈ型鋼杭５ａを示す斜視図
【図３】Ｈ型鋼杭５ａを建て込んで根固めする工程を示す図
【図４】網２９の内側に導水材３７を充填する工程を示す図
【図５】ケーシング管７を地盤１から撤去する工程を示す図
【図６】地盤１を排水しながら掘削し、地中構造物４７を構築する工程を示す図
【図７】ケーシング管７の他の設置方法を示す図
【図８】揚水井４１ａの水平方向の断面を示す図
【図９】地盤１の鉛直方向の断面を示す図
【発明を実施するための形態】
【００１８】
［第１の実施形態］
以下、図面に基づいて本発明の第１の実施形態について詳細に説明する。
【００１９】
図１は、地盤１にケーシング管７を設置する工程を示す図である。図１は地盤１の鉛直方向の断面図である。図１に示すように、地盤１には、表層から順に透水層１５ａ、不透水層１３、透水層１５ｂ、支持層１１が存在する。
【００２０】
図１に示す工程では、まず、図１（ａ）に示すように地盤１に土留め壁３を構築する。土留め壁３の下端部は支持層１１に到達する。また、土留め壁３の内側の地盤１の所定の位置にケーシング管７を打設する。ケーシング管７は、先端に設けられた掘削機械９で土砂を掘削しつつ地盤１に建て込まれる。ケーシング管７の下端部が支持層１１に到達したら、図１（ｂ）に示すように掘削機械９を撤去する。
【００２１】
また、ケーシング管７の打設と並行して、地盤１にＨ型鋼杭５を打設する。Ｈ型鋼杭５は下端部が支持層１１に到達する。Ｈ型鋼杭５は、例えば他のケーシング管を用いて削孔した杭孔に建て込まれる。
【００２２】
図２は、Ｈ型鋼杭５ａを示す斜視図である。Ｈ型鋼杭５ａは、杭長に応じて複数に分割されており、Ｈ型鋼杭５ａ−１、５ａ−２…を軸方向に接合して形成される。
【００２３】
最深部のＨ型鋼杭５ａ−１のフランジ同士の間にはポンプ１７が配置される。Ｈ型鋼杭５ａ−１には、フランジおよびウェブに直交する防護用プレート２３が固定される。防護用プレート２３はポンプ１７の上方に固定される。防護用プレート２３には２ケ所の切欠き部２５が設けられる。Ｈ型鋼杭５ａ−１の上方に接合されるＨ型鋼杭５ａ−２には、２ケ所のクランプ２７が設けられる。
【００２４】
Ｈ型鋼杭５ａのフランジ同士の間には、揚水配管２１および送気配管３３が配置される。揚水配管２１は、クランプ２７ａで保持され、切欠き部２５ａに配置されて、下端部がポンプ１７に接続される。揚水配管２１の下部の所定の長さ部分は可撓性配管２１ａとする。送気配管３３は、クランプ２７ｂで保持され、切欠き部２５ｂに配置されて、下端部がポンプ１７近傍に配置される。送気配管３３の下部の所定の長さ部分は可撓性配管３３ａとする。
【００２５】
ポンプ１７は、固定バンド１９によってＨ型鋼杭５ａ−１のフランジ同士の間に固定される。送気配管３３の下端部は、固定バンド１９によってＨ型鋼杭５ａ−１のフランジ同士の間に保持される。Ｈ型鋼杭５ａの外周は、網２９によって囲まれる。網２９は例えば平織金網である。
【００２６】
図３は、Ｈ型鋼杭５ａを建て込んで根固めする工程を示す図である。図３は、図１に示すケーシング管７付近の拡大図である。図３に示す工程では、まず、図３（ａ）に示すように、ケーシング管７の内部に図２に示す状態のＨ型鋼杭５ａを建て込む。すなわち、ケーシング管７の内部に、Ｈ型鋼杭５ａ、ポンプ１７、揚水配管２１、送気配管３３、網２９を一体として建て込む。
【００２７】
次に、図３（ｂ）に示すようにＨ型鋼杭５ａの根固めコンクリート３５を打設する。このとき、必要に応じて送気配管３３から気体３１を供給する。根固めコンクリート３５を打設するとブリージングによって上部にセメントノロ等の沈殿物が溜まるが、送気配管３３から気体３１を供給することによって、高濃度ブリージング水を地下水と撹拌して沈殿物の濃度を薄め、沈殿物の付着によるポンプ１７の不具合を防ぐことができる。
【００２８】
図４は、網２９の内側に導水材３７を充填する工程を示す図である。図４（ａ）は図１に示すケーシング管７付近の拡大図であり、図４（ｂ）は図４（ａ）に示す矢印Ａ−Ａによる断面図である。
【００２９】
図４に示す工程では、網２９の内側および網２９とケーシング管７との間の空間に導水材３７を充填する。網２９の内側に充填される導水材３７ａは例えば単粒砕石であり、網２９は導水材３７ａをその内側に保持する。ポンプ１７の上方に固定された防護用プレート２３（図２）は、導水材３７ａの充填時に導水材３７ａとポンプ１７との接触を防ぎ、導水材３７ａの落下の衝撃からポンプ１７を防護する。網２９とケーシング管７との間に充填される導水材３７ｂは、導水材３７ａと同様の単粒砕石でもよいし、導水材３７ａより粒径の小さい砕石としてもよい。
【００３０】
図５は、ケーシング管７を地盤１から撤去する工程を示す図である。図５（ａ）は図１に示すケーシング管７付近の拡大図であり、図５（ｂ）は図５（ａ）に示す矢印Ｂ−Ｂによる断面図である。図５に示す工程では、根固めコンクリート３５が硬化する前にケーシング管７を地盤１から撤去し、杭一体型の揚水井４１を完成する。上記したように網２９とケーシング管７との間には導水材３７ｂが充填されているので、ケーシング管７を撤去して孔壁３９が崩落しても土砂によって網２９や導水材３７ａが目詰まりすることはない。
【００３１】
図６は、地盤１を排水しながら掘削し、地中構造物４７を構築する工程を示す図である。図６は、地盤１の鉛直方向の断面を示す図である。Ｈ型鋼杭５、５ａは地盤１の掘削時に中間杭として用いられ、図６に示す工程では、まず、図６（ａ）に示すように地盤１上に設置した覆工板４３をＨ型鋼杭５、５ａで支持しつつ、土留め壁３の内側の地盤１を掘削する。Ｈ型鋼杭５、５ａは掘削の進行に伴って設置される切梁４５も支持する。
【００３２】
土留め壁３の内側の地盤１を掘削する際には、揚水井４１のポンプ１７を作動させて、導水材３７を介して集水した透水層１５ａ、１５ｂ中の地下水を揚水配管２１で揚水し、外部に排水する。このとき、必要に応じて送気配管３３を用いてポンプ１７近傍に気体３１を供給する。ポンプ１７を作動させて揚水すると揚水井４１内に水流が生じて孔壁３９が崩れることがあるが、気体３１を供給することによって地下水のみかけ比重が小さくなり、細粒分の多い土砂等の沈殿物が気体３１とともに上昇して排出されるので、土砂等によるポンプ１７や揚水配管２１の詰まりを防ぐことができる。すなわち、気体３１は導水材３７中の細粒分を吹かして除去し、排水能力の低下を防止する。
【００３３】
地盤１の掘削および地下水の排水が完了したら、図６（ｂ）に示すように土留め壁３の内側に地中構造物４７を構築する。このとき、Ｈ型鋼杭５、５ａと上下の床版とが干渉する場合には床版を箱抜きして施工し、覆工板４３を撤去した後にＨ型鋼杭５、５ａを引き抜く。ポンプ１７はＨ型鋼杭５ａとともに回収される。なお、地中構造物４７の供用時に排水が必要となる場合には排水ポンプを別途設置してもよい。地中構造物４７の上方は埋め戻す。
【００３４】
このように、第１の実施形態によれば、Ｈ型鋼杭５ａを設置するための杭孔を用いて杭一体型の揚水井４１を施工することにより、揚水井を単独で施工する必要がなくなり、工期短縮が可能である。
【００３５】
第１の実施形態では、スクリーンとしてＨ型鋼杭５ａの外周を囲むように配置された網２９を用いることにより、上記の特許文献２のようにフランジ及びウェブで形成された間隙にスクリーン管を設置する場合と比較して、Ｈ型鋼杭５ａのサイズを小さくすることができる。また、仮にＨ型鋼杭５ａの外周にスクリーン管を設置する場合、ケーシング管７を撤去する際にスクリーン管が一緒に持ち上がるのを防止するため、ケーシング管７の径を大きくしてケーシング管７とスクリーン管との間に充分な隙間を確保する必要がある。これに対し、自在に変形可能な網２９でＨ型鋼杭５ａの外周を囲めば、ケーシング管７の径が小さくてもケーシング管７と網２９との隙間が確保されるので、ケーシング管７の撤去時に網２９が一緒に持ち上がることがない。このように、第１の実施形態では、Ｈ型鋼杭５ａやケーシング管７のサイズを小さくすることができるので、材料費や施工費を削減できる。
【００３６】
第１の実施形態では、網２９で外周を囲まれたＨ型鋼杭５ａをケーシング管７内に建て込んだ後に網２９の内側に導水材３７ａを充填することにより、導水材３７ａを容易に設置することができる。導水材３７ａを用いることにより、網２９の内側に地下水の流路を確保し、不透水層１３の上下の透水層１５ａ、１５ｂから地下水を集水してポンプ１７で排水することができる。また、網２９と孔壁３９との間に導水材３７ｂを設置することにより、孔壁３９の崩れによって網２９が目詰まりすることがなくなり、網２９の内側の導水材３７ａやポンプ１７の目詰まりも防止できる。
【００３７】
なお、第１の実施形態では網２９と孔壁３９との間に導水材３７ｂを充填したが、導水材３７ｂは省略可能である。Ｈ型鋼杭５ａを囲むように配置した網２９の内側に導水材３７ａが充填されていれば、導水材３７ｂの充填を省略しても土砂が網２９の内側に入り込んで水の流路を塞ぐことはない。
【００３８】
また、本実施形態では、地盤１を掘削しつつケーシング管７を設置したが、揚水井４１の施工手順はこれに限らない。図７は、ケーシング管７の他の設置方法を示す図である。
【００３９】
この設置方法では、全周回転掘削機等を用いて図７に示すようにケーシング管７を地盤１に圧入する。そして、ケーシング管７の内部を掘削して土砂を排出する。その後、第１の実施形態と同様の手順で揚水井４１を施工する。
【００４０】
以下、本発明の別の例について、第２、第３の実施形態として説明する。各実施形態はそれまでに説明した実施形態と異なる点について説明し、同様の構成については図等で同じ符号を付すなどして説明を省略する。また、第１の実施形態も含め、各実施形態で説明する構成は必要に応じて組み合わせることができる。
【００４１】
［第２の実施形態］
図８は、第２の実施形態の揚水井４１ａの水平方向の断面を示す図である。図８に示す揚水井４１ａは、導水材３７ａの代わりに導水材３７ｃが用いられる点で第１の実施形態と主に異なる。導水材３７ｃは、ヘチマロン（登録商標）等のプラスチック製の立体網状成形材である。
【００４２】
揚水井４１ａを施工する際には、地盤１に設置したケーシング管７の内部にＨ型鋼杭５ａを建て込む際に、ポンプ１７、揚水配管２１、送気配管３３、網２９に加えて導水材３７ｃもＨ型鋼杭５ａと一体にしておく。すなわち、図２に示すＨ型鋼杭５ａの網２９の内側に導水材３７ｃを設置した状態で、ケーシング管７の内部にＨ型鋼杭５ａを建て込む。なお、導水材３７ｃは、Ｈ型鋼杭５ａのウェブの両側のうちポンプ１７が配置される側では防護用プレート２３より上方の部分に設置される。
【００４３】
Ｈ型鋼杭５ａをケーシング管７内に建て込んだら、根固めコンクリート３５を打設し、網２９とケーシング管７との間に導水材３７ｂを充填する。そして、ケーシング管７を地盤１から撤去して揚水井４１ａを完成する。
【００４４】
第２の実施形態においても、Ｈ型鋼杭５ａを設置するための杭孔を用いて杭一体型の揚水井４１ａを施工することにより、揚水井を単独で施工する必要がなくなり、工期短縮が可能である。また、スクリーンとしてＨ型鋼杭５ａの外周を囲むように配置された網２９を用いることにより、Ｈ型鋼杭５ａやケーシング管７のサイズを小さくでき、材料費や施工費を削減できる。
【００４５】
揚水井４１ａでは、導水材３７ｃをＨ型鋼杭５ａにあらかじめ一体化しておくことにより、導水材３７ｃをＨ型鋼杭５ａと同時にケーシング管７内に建て込むことができる。導水材３７ｃを用いることにより、不透水層１３の上下の透水層１５ａ、１５ｂから地下水を集水してポンプ１７で排水することができる。また、土砂等の流入によるポンプ１７の目詰まりを防止できる。
【００４６】
なお、第２の実施形態においても導水材３７ｂは省略可能である。
【００４７】
［第３の実施形態］
図９は、地盤１の鉛直方向の断面を示す図である。第３の実施形態では、揚水井４１が本設の構造物として用いられる。
【００４８】
第３の実施形態では、第１の実施形態と同様の手順で地盤１に揚水井４１を施工する。また、地盤１にＨ型鋼杭５を施工する。そして、Ｈ型鋼杭５および揚水井４１のＨ型鋼杭５ａを本設杭として構造物５１を地上に構築する。その後、構造物５１の供用中に、Ｈ型鋼杭５およびＨ型鋼杭５ａで構造物５１を支持しつつ、必要に応じてポンプ１７を作動させて揚水配管２１から地盤１の地下水を排水する。
【００４９】
第３の実施形態においても、Ｈ型鋼杭５ａを設置するための杭孔を用いて杭一体型の揚水井４１を施工することにより、揚水井を単独で施工する必要がなくなり、工期短縮が可能である。また、スクリーンとしてＨ型鋼杭５ａの外周を囲むように配置された網２９を用いることにより、Ｈ型鋼杭５ａやケーシング管７のサイズを小さくでき、材料費や施工費を削減できる。
【００５０】
第３の実施形態では、揚水井４１のＨ型鋼杭５ａを構造物５１の本設杭として用い、構造物５１の供用中に揚水井４１を用いて地盤１の地下水を排水することにより、地盤１の地下水位を連続的に低下させて液状化を防止することができる。
【００５１】
以上、添付図面を参照しながら、本発明に係る好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００５２】
１………地盤
３………土留め壁
５、５ａ、５ａ−１、５ａ−２………Ｈ型鋼杭
７………ケーシング管
９………掘削機械
１１………支持層
１３………不透水層
１５ａ、１５ｂ………透水層
１７………ポンプ
１９………固定バンド
２１………揚水配管
２１ａ、３３ａ………可撓性配管
２３………防護用プレート
２５、２５ａ、２５ｂ………切欠き部
２７、２７ａ、２７ｂ………クランプ
２９………網
３１………気体
３３………送気配管
３５………根固めコンクリート
３７、３７ａ、３７ｂ、３７ｃ………導水材
３９………孔壁
４１、４１ａ………揚水井
４３………覆工板
４５………切梁
４７………地中構造物
５１………構造物
【図１】
2020193527.tif 000003
【図２】
2020193527.tif 000004
【図３】
2020193527.tif 000005
【図４】
2020193527.tif 000006
【図５】
2020193527.tif 000007
【図６】
2020193527.tif 000008
【図７】
2020193527.tif 000009
【図８】
2020193527.tif 000010
【図９】
2020193527.tif 000011